(57)【要約】      （修正有）【課題】ホログラムを光学媒体、特に光アドレス型空間光変調デバイスから透過的に読み出す装置及び方法を提供する。【解決手段】書き込み光により光学媒体２内に生成されるホログラム、特に光アドレス型空間光変調デバイス内に生成されるホログラムを透過的に読み出す装置１に関する。この目的のため、装置１は、光を放射する照明デバイス３と、照明デバイス３からの光を光学媒体２上に向ける光学系６とを具備する。この場合、光学系６は、書き込み光の光束経路内に配置される。【選択図】図１
2009258664.tif 000002
【特許請求の範囲】
【請求項１】
書き込み光により光学媒体内に生成されるホログラム、特に光アドレス型空間光変調デバイス内に生成されるホログラムを透過的に読み出す装置であって、
光を放射する照明デバイスを具備し、
前記照明デバイス（３、９）からの前記光を前記光学媒体（２）上に向ける光学系（６、１０６、２０６）が、前記書き込み光の光束経路内に配置される
ことを特徴とする装置。
【請求項２】
前記照明デバイス（３、９）は、前記書き込み光と、波長と偏光状態との少なくともいずれかが異なる読み出し光を放射するために設けられることを特徴とする請求項１記載の装置。
【請求項３】
前記光学系（１０６、２０６）はマイクロレンズ（１６、１６ａ、１６ｂ、１６ｃ、２１）を有し、
前記照明デバイス（３）は、光の方向において前記マイクロレンズ（１６、１６ａ、１６ｂ、１６ｃ）の上流側、特に前記マイクロレンズ（１６、１６ａ、１６ｂ、１６ｃ）のオブジェクト側の焦平面内に配置された光源の配列（２０）を具備する
ことを特徴とする請求項１記載の装置。
【請求項４】
前記光源（２０）が有機発光ダイオードとして実現されることと、前記光源（２０）が少なくとも部分的に透過型として実現されることとの少なくともいずれかであることを特徴とする請求項３記載の装置。
【請求項５】
前記マイクロレンズは、偏光依存型マイクロレンズ（２１）として実現され、複屈折を有し、これにより第１の偏光成分の光はその波面に関して影響を受け第２の偏光成分の光はその波面に関して影響を受けないことを特徴とする請求項３記載の装置。
【請求項６】
前記光学系（２０６）は、前記第１の偏光成分の光を透過する第１の偏光状態と前記第２の偏光成分の光を透過する第２の偏光状態との間で切替え可能な切替え可能偏光子（２２）を具備することを特徴とする請求項５記載の装置。
【請求項７】
前記光学系（６）は、前記照明デバイス（３）からの読み出し光を前記光学媒体（２）上に誘導する、前記読み出し光を偏向させる少なくとも１つの素子（７、１８）、特にビームスプリッタ素子を具備し、
前記光学媒体（２）の個々の領域の上流側に配置される複数のビームスプリッタ素子（１８）は、先行するビームスプリッタ素子（１８）からの非偏向光が次のビームスプリッタ素子（１８）に入射するように配置され、
前記ビームスプリッタ素子（１８）は、前記光学媒体（２）の前記個々の領域に入射する前記光が同一強度を有するような異なるスプリット率を有する
ことを特徴とする請求項１記載の装置。
【請求項８】
前記マイクロレンズ（１６、１６ａ、１６ｂ、１６ｃ、２１）の各々は、ホログラム情報が書き込まれる前記光学媒体（２）の前記領域に対応する視野を有することを特徴とする請求項３又は５記載の装置。
【請求項９】
前記照明デバイス（３、９）は、前記光学媒体（２）上の照明を制御するために使用可能なシャッタ（１７）とともに、一つの光源（４，１０）を具備することと、
前記照明デバイス（３、９）は複数の光源（４、１０）を具備し、前記光学媒体（２）は個々の光源（４、１０）の制御に応じて露光可能であることと
のいずれかであることを特徴とする請求項１又は３記載の装置。
【請求項１０】
光学媒体（２）、特に光アドレス型空間光変調デバイスを具備することを特徴とする請求項１記載の装置。
【請求項１１】
書き込み光により光学媒体内に生成されるホログラム、特に光アドレス型空間光変調デバイス内に生成されるホログラムを透過的に読み出す方法であって、
読み出し光が照明デバイスから前記光学媒体上に誘導され、
前記読み出し光は、前記書き込み光の光束経路内に配置された光学系（６、１０６、２０６）を介して前記光学媒体（２）上に放射され、
前記読み出し光束の経路は、前記書き込み光束の経路に少なくとも部分的に重ね合わされる
ことを特徴とする方法。
【請求項１２】
前記光学系（２０６）の偏光依存型マイクロレンズ（２１）は、それらが、前記ホログラムを記録するための集束光学アセンブリとして、並びに、前記ホログラムを読み出すための平面板として機能するように制御デバイスにより制御されることを特徴とする請求項１１記載の方法。
【請求項１３】
垂直に偏光された光は、前記ホログラムを、前記光学媒体（２）に記録するため及び前記ホログラムを前記光学媒体（２）から読み出すために使用されることを特徴とする請求項１２記載の方法。
【請求項１４】
前記光学系（１０６）のマイクロレンズ（１６、１６ａ、１６ｂ、１６ｃ）のオブジェクト側の焦点に配置される前記照明デバイス（３）の光源（２０）はオンに切替えられ、
前記光学系（１０６）の前記マイクロレンズ（１６、１６ａ、１６ｂ、１６ｃ）は、前記ホログラムを読み出すために、前記光源（２０）から入射する前記光を前記光学媒体（２）に入射するコリメートされた光に変換する
ことを特徴とする請求項１１記載の方法。
【請求項１５】
請求項１から１０のいずれか１項に記載の装置を具備する、シーンをホログラム的に再構成する装置。
【発明の詳細な説明】
【技術分野】
【０００１】
本発明は、特に観察者に対して、特に高解像度の３次元シーンを表現するために、書き込み光により光学媒体内に生成されるホログラム、特に光アドレス型空間光変調デバイス内に生成されるホログラムを透過的に読み出す装置であり、光を放射する照明デバイスを具備する装置に関する。更に本発明は、ホログラムを透過的に読み出す方法に関する。
【背景技術】
【０００２】
ホログラフィにより、波面の振幅分布及び位相分布を記録し且つそれらを後で再現することが可能になる。この場合、オブジェクトから反射されるコヒーレント光及び光源から直接放射される光の干渉パターンは、写真乾板等の記録媒体に記録される。ホログラムとも呼ばれる干渉パターンがコヒーレント光で照明される場合、３次元シーンが空間に出現する。周知の方法又は技術によりホログラムを生成するために、実際の３次元オブジェクトが通常は使用される。その場合、ホログラムは実ホログラムと呼ばれる。しかし、ホログラムは計算機ホログラム（ＣＧＨ）であってもよい。
【０００３】
ＣＧＨ用可逆記録媒体として、例えば、入射光の位相及び／又は振幅を変調するＬＣＤ（液晶ディスプレイ）、ＬＣｏＳ（Liquid Crystal on Silicon）、ＥＡＳＬＭ（電気アドレス型空間光変調器）、ＯＡＳＬＭ（光アドレス型空間光変調器）等の光変調器が使用される。
【０００４】
電気アドレス型空間光変調器（ＥＡＳＬＭ）は、再生デバイス又はディスプレイにおいて使用されることが非常に多い。この場合、ＥＡＳＬＭは、電気回路に接続され且つ電気回路を介して同様に制御される別個の要素から構成される空間変調器として定義可能である。しかし、３次元表現用ホログラム再生デバイスにおいて使用するためのＥＡＳＬＭは、例えば、画素とも呼ばれる変調素子の数の制限、低い充填率及びその結果生じる相対的に低い解像度等の多くの欠点を有する。
【０００５】
しかし、大きな３次元シーンが提供されるため又は大きな観察者領域を観察者に対して可能にするためには、ＥＡＳＬＭは、高い充填率を達成するために、互いに対して非常に近接して配置される多くの変調素子又は画素を有する必要がある。しかし実際は、このことを達成するには複雑さが増し且つ平均コストを超えるコストが必要であり、その結果、適切な経済的実現可能性は得られない。
【０００６】
従って、この目的のために光アドレス型空間光変調器（ＯＡＳＬＭ）を使用することが以前から試みられている。ＯＡＳＬＭは、振幅透過率及び／又は位相透過率において光学的に制御可能な変化を生成するために使用可能な光変調器である。特に再生デバイスに適用する場合、ＯＡＳＬＭはＥＡＳＬＭより多くの利点を有する。主な利点は、ＯＡＳＬＭのアナログ式の挙動又はＯＡＳＬＭが画素化されないことにある。これは、離散的な画素が存在しないため、充填率及びサンプリング間隔が存在しないことを意味する。従って、ＯＡＳＬＭの解像度はＥＡＳＬＭの解像度より大幅に高い。
【０００７】
ＯＡＳＬＭ技術の新しい種類、例えば色付きＯＡＳＬＭは、３００ｌｐ／ｍｍ〜１５００ｌｐ／ｍｍ以上の解像度を想定する。そのような高い解像度を用いることにより、従来技術と比較して、大きな観察者領域と関連して高品質の再構成をホログラムとして生成することが可能である。しかし、再構成される３次元シーンの表現のためにそのようなＯＡＳＬＭを使用するためには、それに対応して高い解像度を有するホログラムをＯＡＳＬＭに書き込む必要がある。この目的のため、ホログラム画像データがＥＡＳＬＭ上に表示され、前記画像データがマイクロレンズの配列を介してＯＡＳＬＭの異なる領域又は部分上に順次集束され、それによりホログラムがＯＡＳＬＭに書き込まれることが周知である（Active Tiling）。しかし、ホログラムをＯＡＳＬＭ上に結像しても、高い解像度は達成されない。従って、高い解像度を得るためには、例えば、ＯＳＡＬＭが３μｍ以下の領域又は部分を有する必要がある。更に、ＯＡＳＬＭの部分のサイズが対応している状態で、ミラー又はプリズム等の走査システム又は偏向システムを用いる場合、ホログラムの記録は高品質の結果を生じない。そのため、これらの解決策は同様に欠点を有する。更に、既存のシステムの大部分は、３０ｌｐ／ｍｍ〜１００ｌｐ／ｍｍの解像度を生じる現在のＯＡＳＬＭ技術に対してのみ使用可能である。
【０００８】
ホログラムが光学媒体に書き込み又は記録されている場合、ホログラムはホログラム再構成のために読み出される必要がある。
【０００９】
ＯＡＳＬＭに記録されるホログラム情報が様々な方法で読み出し可能であることは周知である。読み出し光はＯＡＳＬＭに入射し、それによりＯＡＳＬＭの内容は読み出され、例えばフーリエ光学アセンブリを介して観察者に対して表現される。ＯＡＳＬＭが反射して読み出される場合、光は、ＯＡＳＬＭの書き込み面の反対側の面に入射する。この目的のため、ＯＡＳＬＭは、入射光がＯＡＳＬＭを通過するのを防止するミラーと関連する吸収層を具備する。ＯＡＳＬＭが反射して読み出される再生デバイスは、例えば特許文献１又は特許文献２から周知である。３次元シーン、画像又はオブジェクトを表現するためにＯＡＳＬＭを反射して読み出す場合、この目的のために設けられる再生デバイスは非常に大型のものとなり、前記再生デバイスが、例えば電気通信の分野、娯楽の分野又は他の医療技術におけるホログラム投影デバイスに適用される範囲は限定される。
【００１０】
ＯＡＳＬＭが透過的に読み出される場合、光は、ホログラムを記録又は書き込むために使用される光と同一側からＯＡＳＬＭ上に向けられる。しかし、ＯＡＳＬＭを透過的に読み出す場合、ホログラムを記録又は書き込むために使用される素子がホログラムの読み出しを阻害するため、すなわち読み出し光の特性に影響を及ぼすため、ＯＡＳＬＭからのホログラムのエラーのない読み出しが達成されないという問題がある。
【００１１】
ホログラムをＯＡＳＬＭから透過的に読み出す１つの実現例は、ＯＡＳＬＭを具備するホログラムディスプレイが説明される特許文献３から周知である。この場合、ディスプレイは、ホログラム情報をＯＡＳＬＭに記録又は書き込むために使用される光が一定の角度を成してＯＡＳＬＭに入射するように構成される。この場合、原色である青色を放射する光源からの光が使用される。赤色を放射する光源からの光はＯＡＳＬＭを読み出すために使用され、前記光源は、赤色光が青色光とほぼ同一の入射角で入射するように配置される。しかし、２つの光源は再生デバイス内の異なる場所に位置する。このように、ホログラムを書き込むために使用される光学素子は読み出し光に全く又は殆ど影響を及ぼさないが、小型に構成された再生デバイスは得られない。
【先行技術文献】
【特許文献】
【００１２】
【特許文献１】米国特許第６，７５３，９９０Ｂ１号公報
【特許文献２】米国特許出願公開第２００５／０２８６１１７Ａ１号明細書
【特許文献３】国際公開第ＷＯ２００７／１３２２３０Ａ１号
【発明の概要】
【発明が解決しようとする課題】
【００１３】
従って、本発明の目的は、ホログラムを光学媒体、特に光アドレス型空間光変調デバイスから透過的に読み出す装置及び方法を提供することである。この場合、ホログラムを書き込むために使用される光学素子は、読み出し光の特性に悪影響を及ぼさず、小型の装置が得られる。
【課題を解決するための手段】
【００１４】
本目的は、請求項１記載の特徴を有する装置に関して及び請求項１９記載の特徴を有する方法に関して達成される。
【００１５】
本発明によると、本目的は、照明デバイスからの光を光学媒体上に向ける光学系が書き込み光の光束経路内に配置されることにより、装置に関して達成される。
【００１６】
特にホログラム３次元表現の分野における今日の市場の要求を満たすために、特に、例えば電気通信の分野等において大きさが制限されるデバイスにおいて、高解像度の光学媒体、特に光アドレス型空間光変調デバイス（ＯＡＳＬＭ）が設けられる装置は、適用されるためには小型に構成されることが必要である。この要求は、本発明に係る装置により満たされる。ホログラムを光学媒体から読み出す本発明に係る装置が光学媒体を透過的に読み出すことを可能にする光学系を具備することにより、反射型として実現される光学媒体の場合、再構成領域内又は書き込み側に対して光学媒体の反対側にあるホログラム読み出し用光源及び場合によっては光学素子が不要になるため、装置の小型化及び再生デバイス全体の小型化が達成される。
【００１７】
この場合、ホログラム又はホログラム情報を光学媒体に記録又は書き込むために使用される光学素子が読み出し光の特性に悪影響を与えることがないため、光学系は、ホログラムが光学媒体から高い精度で完全に読み出されるように、光学媒体に対して書き込み光の経路内に配置される。ホログラムを読み出すために設けられる光学系は、ホログラム又はホログラム情報を記録するための書き込み光のプロファイルを劣化することなく、ホログラムを光学媒体である好ましくは光アドレス型空間光変調デバイスの対応する領域又はその一部に高解像度で書き込み可能であることは言うまでもない。
【００１８】
ホログラムを光学媒体に同時記録する場合、光学系は光透過型として構成される。固定的に書き込みされたホログラムを有する光学媒体が読み出される場合、光学系は、部分的にのみ光透過型であってもよく、又は光を通過させなくてもよい。
【００１９】
本発明に係る装置は、特に現在の市販のＯＡＳＬＭにおいて読み出すために使用可能であるが、例えば色付きＯＡＳＬＭ等の近い将来に実現するＯＡＳＬＭにおいても使用可能である。
【００２０】
書き込み光に関して異なる波長及び／又は偏光状態を有する読み出し光を放射するために照明デバイスが設けられ、その結果、書き込み光及び読み出し光が互いに対して影響を及ぼさないことは特に有利である。
【００２１】
本発明の１つの有利な構成において、この場合、光学系は、ホログラム情報が書き込まれる光学媒体の領域に対応する視野を有するマイクロレンズを具備する。本発明の定義の範囲において、マイクロレンズは、直径が原則的にミリメートル範囲、特に１ｍｍ以下のレンズである。この場合、マイクロレンズは、特に光束を誘導するために使用され、その結果、光学媒体全体が均一且つ完全に照明される。この手段によってのみ、ホログラム情報は完全且つ正確に読み出される。
【００２２】
照明デバイスが、光の方向においてマイクロレンズの上流側に配置される光源の配列を有することは更に有利である。この場合、光源の数はマイクロレンズの数に対応し、その結果、各マイクロレンズは光源を割り当てられる。光源がマイクロレンズのオブジェクト側の焦平面内に配置されることは特に有利である。それにより、マイクロレンズがコリメータとして機能し、コリメートされた光が光学媒体に入射することが達成される。このように、光学媒体は全面にわたり均一に照明される。例えば、光学媒体がホログラムの書き込み側に対して反対側で読み出すために照明される場合、特にこのように実施される装置により装置の大型化は回避される。
【００２３】
この場合、読み出し光の光源が少なくとも部分的に透過型として実現されることは特に有利である。これは、光源が部分的に透明であるか、完全に透明であるか、あるいは光源の少なくとも基板が部分的又は完全に透明であることを意味する。光源のそのような実施形態により、光学媒体に対するホログラムの同時記録及び読み出しが達成可能になり、それにより、例えば動画である利点を有する３次元シーンのリアルタイム表現が実現可能である。このように、マイクロレンズに入射する光に影響を及ぼすことなく、光学媒体へのホログラムの記録中に光源を光束経路内に既に配置しておくことができる。この場合、有機発光ダイオード（ＯＬＥＤ）が透明基板を有するため又は光の規定の波長を透過するため、使用される光源は有機発光ダイオードであってもよいが、少なくともほぼ透明であるならば、他の光源も使用可能であることは言うまでもない。
【００２４】
ホログラムが書き込まれるのと同一側からホログラムを読み出す更なる実現例は、マイクロレンズが偏光依存型マイクロレンズとして実現され、第１の偏光成分の光がその波面に関して影響を受け且つ第２の偏光成分の光がその波面に関して影響を受けないように複屈折を有することを含む。このように構成される本発明に係る装置により、ホログラムを読み出すための追加の要素を使用せずに、ホログラムは光学媒体に記録され且つ同時に再度読み出される。これは、垂直に偏光された光がホログラムを記録するため及び読み出すために使用されることを意味する。しかし、使用される波長は異なる必要があり、そのため、例えば２つの光源及び／又は２つの照明デバイスを使用する必要がある。ホログラムを読み出すために使用される光源は、例えば、ホログラムを記録するために使用される照明デバイス内に設けられる。このように、光学媒体は、ホログラムを読み出すために照明され、それにより、本装置は、特に大きさが非常に制限されるデバイスに適用可能である。
【００２５】
ホログラムを光学媒体から読み出す第３の実現性は、光学系が、照明デバイスからの読み出し光を光学媒体上に誘導するために読み出し光を偏向する少なくとも１つの素子、特にビームスプリッタ素子を有し、その結果、光学媒体を照明するために、光が偏向素子、例えばビームスプリッタ素子を介して光学媒体の方向に向けられることにおいて見られるという利点を有する。このように、例えば特許文献３から周知であるような光学媒体に対する照明デバイスの傾斜した配置は同様に回避され、それにより、照明デバイスは読み出しのために空間を節約する方法で配置可能である。
【００２６】
別の実現例は、先行するビームスプリッタ素子からの非偏向光が次のビームスプリッタ素子に入射するように、光学媒体の個々の領域の上流側に配置される複数のビームスプリッタ素子が配置されることを含む。従って、ビームスプリッタ素子の配列の各ビームスプリッタ素子は、光学媒体の少なくとも１つの領域又は部分に割り当てられる。この場合、光の損失を最小限にするか又は回避するために、ビームスプリッタ素子は偏光感応型ビームスプリッタ素子として実現可能である。
【００２７】
光を光学媒体上に誘導するこの実現例の場合、光学媒体の個々の領域に入射する光が同一強度を有するような異なるスプリット率を有するようにビームスプリッタの実施形態が実現されるのは有利である。従って、同一の光強度が光学媒体の全領域又は全部分上で得られ、領域が均一に照明されることが保証され、その結果、ホログラムの読み出し時に情報は失われない。
【００２８】
本発明の１つの有利な構成において、照明デバイスが、光学媒体上の照明を制御するために使用可能なシャッタと関連する光源を有することが更に提供される。その結果、特に強誘電性シャッタをオンに切替えることにより、光学媒体の照明、特に光学媒体の領域又は部分の照明は、ホログラムに関して必要な情報に従って制御可能であり、それにより、光学媒体、特にＯＡＳＬＭの必要な領域は、書き込まれる情報に応じて照明される。
【００２９】
代替例として、シャッタと関連する１つの光源の代わりに、照明デバイスが複数の光源を具備し、光学媒体が個々の光源の制御に応じて露光可能であることが提供されるという利点を有する。複数の光源が照明デバイス内に設けられる場合、光学媒体の個々の領域又は部分は、光源の切替えにより、必要な情報に従って照明可能である。その結果、光源がこの機能を実行するため、シャッタは必要なくなる。
【００３０】
更に本発明の目的は、書き込み光により光学媒体内に生成されるホログラム、特に光アドレス型空間光変調デバイス内に生成されるホログラムを透過的に読み出す方法であり、読み出し光が照明デバイスから光学媒体上に誘導される方法により達成される。この場合、読み出し光は、書き込み光の光束経路内に配置される光学系を介して光学媒体上に放射され、読み出し光束の経路は、書き込み光束の経路に少なくとも部分的に重ね合わされる。
【００３１】
このように、ホログラムは光学媒体、好ましくは光アドレス型空間光変調デバイス（ＯＡＳＬＭ）から透過的に読み出され、光学系は、情報を失うことなく読み出しが実行されるように入射光の特性に影響を及ぼす。この場合、ホログラムは、リアルタイムに書き込み及び読み出しされるという利点を有する。本発明に係る方法により、特に、読み出し光束の経路が書き込み光束の経路と少なくとも部分的に重なり合うことにより、大きさが制限されるデバイスにおいても、ホログラムは３００〜１５００ｌｐ／ｍｍ以上の潜在情報密度である利点を有する高解像度の光学媒体から透過的に単純且つ迅速に読み出し可能である。
【００３２】
非コヒーレント光がホログラムを光学媒体に記録するために使用され且つ十分にコヒーレントな光又は十分に大きな領域においてコヒーレントな光がホログラムを読み出すために使用されるのが有利である。この場合、波長が異なることが重要である。
【００３３】
本発明の更なる構成は、残りの従属請求項から明らかになる。図面においてより詳細に説明される実施形態に基づいて、本発明の原理を以下に説明する。
【図面の簡単な説明】
【００３４】
【図１】ホログラムを光学媒体から読み出す本発明に係る装置の第１の実施形態を側面図で示す概略図である。
【図２】本発明に係る装置の第２の実施形態を光学媒体へのホログラムの書き込みと関連して側面図で示す概略図である。
【図３】本発明に係る装置の第３の実施形態を光学媒体へのホログラムの書き込みと関連して側面図で示す概略図である。
【図４】本発明に係る装置の第４の実施形態を光学媒体へのホログラムの書き込みと関連して側面図で示す概略図である。
【発明を実施するための形態】
【００３５】
ホログラムを光学媒体から読み出す装置の構成及び機能を以下に説明する。この目的のため、光学媒体は光アドレス型空間光変調デバイスであると仮定される。以下、これをＯＡＳＬＭと示し、このＯＡＳＬＭからホログラムは透過的に読み出される。この場合、ＯＡＳＬＭは、ホログラムを透過的に読み出すのに適し且つ色付きＯＡＳＬＭも含む従来技術から既に周知のＯＡＳＬＭであってもよい。一般に、そのようなＯＡＳＬＭは、特に、感光層及び波長選択層を有する。例えば、ガラス層等の追加の層は同様に存在できる。そのようなＯＡＳＬＭの構成は一般に周知であり、本明細書中でこれ以上提示しない。ＯＡＳＬＭの代わりに、他の高解像度の可逆光学媒体も使用可能であることは言うまでもない。
【００３６】
図１は、装置１の基本構成の第１の実施形態を示し、装置１を非常に簡略化した態様で側面図で示す。ホログラムをＯＡＳＬＭ２から透過的に読み出すため、装置１は照明デバイス３を有する。図１において、照明デバイス３は、十分にコヒーレントな光を放射する光源４を備える。使用される光源は、例えばレーザ又は発光ダイオードであってもよい。光源４により放射される光を拡大及びコリメートするため、光学素子５は光の方向において光源４の下流側に設けられる。この場合、前記光学素子５は照明デバイス３に一体化可能であるが、必ずしも一体化される必要はない。その後、十分にコリメートされた光又は十分にコリメートされた光束は、ＯＡＳＬＭ２に格納されたホログラムを読み出すために、光学系６を介してＯＡＳＬＭ２上に誘導される。光学系６は、読み出し光を偏向する素子７、本実施形態においてはビームスプリッタを具備する。この場合、ビームスプリッタ素子７は、ＯＡＳＬＭ２の全範囲にわたり延在する。装置１のそのような実施形態は、例えば、ホログラムが処理中の書き込みから時間的に独立してＯＡＳＬＭ２から読み出される場合に使用可能である。これは、例えば、静止画である利点を有する３次元シーンが表現される場合又はホログラムと共に永続的に取得される光学媒体が読み出される場合である。この場合、ホログラムがＯＡＳＬＭ２に書き込まれた後、ビームスプリッタ素子７を書き込み光束の経路内に回転させるか又は挿入することが可能である。
【００３７】
しかし、当然、ホログラムが書き込み又は記録される時点で、ビームスプリッタ素子７を書き込み光束の経路内に既に配置しておくことも可能である。このように、ビームスプリッタ素子７を回転させるための追加のデバイスは不要であり、それにより、装置の全体構成はより小型になる。この場合、ビームスプリッタ素子７は、書き込みに使用される光の特性に影響を及ぼさないように実現される。その結果、ホログラムはＯＡＳＬＭ２に対してリアルタイムに書き込み及び読み出し可能である。従って、動画であるのが好ましい３次元シーンは、１人以上の観察者に対してホログラム的に生成及び表現可能である。
【００３８】
シーンのホログラム再構成は、視野レンズ８により実行可能である。本実施形態において、これはフーリエレンズとして実現され、光の方向においてＯＡＳＬＭ２の下流側に配置される。再構成動作中、読み出し光はＯＡＳＬＭ２上に誘導され、その結果、光はホログラムにより変調され、それによりホログラムが読み出される。光の変調後、光はフーリエレンズ８に入射し、フーリエレンズ８はその画像側の焦平面内にフーリエ変換を生成する。ＯＡＳＬＭ２がこの目的に対応する高い解像度を有する場合、フーリエレンズ８の特性をＯＡＳＬＭ２に符号化することも可能である。この場合、フーリエレンズを光の方向においてＯＡＳＬＭ２の下流側に設ける必要はない。
【００３９】
ホログラムをＯＡＳＬＭ２から読み出す装置１００により、別の実施形態を図２に示す。図２は、ＯＡＳＬＭ２へのホログラムの書き込みを更に示し、装置全体を図中符号２００で示す。この場合、図１と同一の部分は同一の図中符号を有する。以下の説明において、最初にＯＡＳＬＭ２へのホログラムの直接書き込みを参照する。
【００４０】
ホログラムを書き込むため、少なくとも１つの光源１０を有する照明デバイス９が設けられる。光源１０により放射される光をコリメートするために使用される少なくとも１つの光学素子１１は、光の方向において光源１０の下流側に配置される。この場合、前記光学素子１１は照明デバイス９に一体化可能であるが、必ずしも一体化される必要はない。その後、コリメートされた光は画像供給元１２上に向けられる。画像供給元１２は２次元に実現されるのが有利であるが、当然、１次元にも実現可能である。この場合、画像供給元１２は、入射光を変調するため制御デバイス１４により制御されるマイクロミラーの形態の複数の変調素子１３を有する。ＯＡＳＬＭ２に書き込み又は記録される必要なホログラムに応じて、画像供給元１２の変調素子１３は、それに対応して傾斜可能であり且つ／又は軸方向に移動可能である。画像供給元１２であるマイクロミラーの配列と共に、プリズム角度を制御可能な可変プリズムの配列又は変形可能な薄膜ミラーを設けることも可能である。
【００４１】
この場合、光源１０により放射される光は、光束経路内の複数のビームスプリッタ素子の配列１５を介して画像供給元１２の変調素子１３上に誘導される。各ビームスプリッタ素子は、少なくとも１つの変調素子１３に割り当てられる。すなわち、ビームスプリッタ素子は、画像供給元１２の各変調素子１３又は画像供給元１２の変調素子１３の各１次元配列のみに割り当てられる。後者の場合、ビームスプリッタ素子は、ビームスプリッタキューブとしてではなく、例えばビームスプリッタロッドとして実現される。この場合、個々のビームスプリッタロッド又はビームスプリッタキューブは、照明デバイス９の配置に応じて、水平面に対して積み重ねられ且つ／又は垂直面に沿って並べられるように配置可能である。このように、ビームスプリッタロッドは、変調素子１３の列全体又は行全体にわたり延在する。各例において、ある特定の数の変調素子１３のみにわたり延在するより小型のビームスプリッタロッドも考えられる。画像供給元１２の全ての変調素子１３が同一強度の光で均一に照明され、その結果光が失われないために、ビームスプリッタ素子が、この目的に対応する異なるスプリット率を有するように注意する必要がある。ビームスプリッタ素子がビームスプリッタロッドとして実現され且つ水平面に対して積み重ねられるように配置される場合、変調素子１３を照明するために１つの光源１０を設ければ十分である。しかし、ビームスプリッタ素子がビームスプリッタキューブ又は垂直面に沿って並べられるように配置されるビームスプリッタロッドとして実現される場合、それに対する照明デバイス９の配置に応じて、各列又は各行は光源１０により照明される。従って、２次元に実現される画像供給元１２の照明の場合、複数の光源１０が設けられる。
【００４２】
複数のビームスプリッタ素子の配列１５の代わりに、光は、画像供給元１２全体にわたり延在する１つのビームスプリッタ素子を介して変調素子１３上に向けられるか又は誘導されてもよく、それにより、装置２００全体はより小型に構成可能である。
【００４３】
光源１０からの光は、光学素子１１により十分にコリメートされ、その後、光学素子１１に対向する複数のビームスプリッタ素子又はビームスプリッタキューブの行、あるいは配列１５のビームスプリッタロッドに入射し、それらは光を画像供給元１２上に誘導する。
【００４４】
光の変調後、光は、マイクロレンズ又はマイクロ対物レンズ３２の配列の方向に反射され、コリメートされた状態で個々のマイクロレンズ３２に入射する。マイクロレンズ３２の数は、画像供給元１２の変調素子１３の数に対応するのが有利である。この場合、マイクロレンズ３２は、個々のマイクロレンズ３２の像焦点がＯＡＳＬＭ２上に存在するように、ＯＡＳＬＭ２から一定の距離に配置される。この場合、各変調素子１３により変調され且つ反射された光は、対応するマイクロレンズ３２によりＯＡＳＬＭ２上に集束可能であり、それにより、ホログラム情報又はホログラムは直接書き込み可能である。各マイクロレンズ又はマイクロ対物レンズ３２がある特定の視野を有するため、ＯＡＳＬＭ２へのホログラム情報の書き込み領域は、対応する変調素子１３の傾斜による視野によって定義可能である。これは、各マイクロレンズ３２が、変調素子１３の傾斜に応じて入射する光束を視野により事前に定義される領域又は部分においてのみＯＡＳＬＭ２上に集束できることを意味する。この原理を角度／線形変換と呼ぶ。図３を参照して分かるように、例えば、第１の光束はある特定の角度で反射され、その後、マイクロレンズ１６ａ（本例において、これはマイクロレンズ３２である）により、マイクロレンズ１６ａの光軸の下方で焦平面内に集束される。第２の光束は異なる方向に反射され、その結果、マイクロレンズ１６ｂは前記光束を光軸の上方で焦平面に集束する。光軸に対して平行にマイクロレンズ１６ｃに入射する第３の光束は、この場合、前記マイクロレンズによりその焦点で光軸上に集束される。従って、ホログラム情報が書き込まれる場合、焦点は、ＯＡＳＬＭ２上の所定の領域内で前後に移動する。これは、相対的に大きな視野を有するマイクロレンズ３２（又は、図３によると１６）を使用する場合、小さな視界を有するマイクロレンズ３２（又は１６）の場合より画像供給元１２の必要な変調素子１３の数が少なくてもよいという利点を提供する。従って、より大きな視界を有するマイクロレンズ３２を用いる場合、ＯＡＳＬＭ２上のより大きな領域を範囲に含むことも可能である。ホログラムを書き込むために使用される光学アセンブリが必要とする解像度が高いほど、その視野は小さくなる。しかし、高解像度のホログラムをＯＡＳＬＭ２に記録するために、低解像度の画像供給元１２を常に使用できることは有利である。
【００４５】
ホログラムをＯＡＳＬＭ２に書き込むため、図示される光源１０は光を放射し、光は、画像供給元１２上での変調後にマイクロレンズ３２に入射する。書き込み光束の経路を図２ではなく図３のみに示す。必要に応じて、光が所望のマイクロレンズ３２のみに入射するために、シャッタ１７、例えば強誘電性シャッタが、光の方向においてマイクロレンズ３２の上流側、本例においてはビームスプリッタ素子とマイクロレンズ３２との間に配置されるのが有利である。シャッタ１７は、必要なホログラム情報に応じてオンに切替えられる。変調素子１３の設定パターンを用いて、ＯＡＳＬＭ２内の小さな領域のみが書き込まれる。完全なホログラムが生成されるために、変調素子１３は、ホログラム情報がＯＡＳＬＭ２に完全に書き込まれるように、多様に制御される必要がある。マイクロレンズ３２の視野に対応する領域のみが完全に書き込まれる場合、この領域は、例えばサブホログラムであってもよい。当然、完全なホログラムが、マイクロレンズ３２の視野に対応する領域に書き込まれることも可能である。
【００４６】
図２において、読み出しは、ＯＡＳＬＭ２のホログラムの書き込み又は記録と同一側から同様に実行される。この装置２００の場合の問題は、光がコリメートされたとしても、それがマイクロレンズ３２を通過する必要があるため、照明デバイス９により、コリメートされた光を用いてＯＡＳＬＭ２を全面にわたり照明することがほぼ不可能な点である。従って、マイクロレンズ３２はこの光を集束するため、ＯＡＳＬＭ２は広く照明されない。また、マイクロレンズ３２上に収束する光束は、入射時に小さな口径のみを定義し、その結果、ＯＡＳＬＭ２上で照明される領域は同様に小さい。そのような欠点を回避するため、ホログラムを読み出すために装置１００が設けられる。本実施形態において、この装置は、ＯＡＳＬＭ２、光学系６及び視野レンズ８を具備する。光学系６は、マイクロレンズ３２とＯＡＳＬＭ２との間に配置され、配列を形成する複数のビームスプリッタ素子１８を有する。この場合、マイクロレンズ３２の視野により定義されるＯＡＳＬＭ２上の各領域又は各部分は、ホログラムを読み出すためにＯＡＳＬＭ２のこれらの領域又は部分も全面にわたり照明するため、ビームスプリッタ素子１８を割り当てられる。この場合も、これは、画像供給元１２を照明するためのビームスプリッタ素子の配列１５に関する上述に従って、個々のビームスプリッタ素子１８が、水平面に対して積み重ねられるように配置され且つ垂直面に沿って並べられるように配置されることを意味する。ビームスプリッタ素子１８の配列の各列又は各行は、照明デバイス３により照明される。これは、ビームスプリッタ素子１８の各列又は各行が光源４により照明されることを意味する。光源４は、レーザ又は発光ダイオードとして実現されるのが有利であり、十分にコヒーレントな光を放射し、その結果、先行するビームスプリッタ素子１８からの非偏向光は次のビームスプリッタ素子１８に入射する。この場合も、この光源４は、光を拡大又はコリメートする光学素子５を割り当てられる。光が個々のビームスプリッタ素子１８を通過する途中で光がほぼ失われないようにするために、この場合も、個々のビームスプリッタ素子１８は、それに対応する異なるスプリット率を有する必要がある。光源４からのビームスプリッタ素子１８の距離が大きくなるほど、スプリット率は増加する。この場合、異なる波長の光が、ホログラムの記録又は書き込み中及びホログラムの読み出し中に使用される。
【００４７】
更に、ホログラムの記録中に光学系６及びビームスプリッタ素子１８が装置２００の書き込み光束の経路内に既に配置されているため、それらは、記録中にマイクロレンズ３２によりＯＡＳＬＭ２上に集束される光に悪影響を及ぼしてはいけない。従って、光学系６は、ビームスプリッタ素子１８の代わりにマイクロレンズ３２とＯＡＳＬＭ２との間に配置される偏光感光ビームスプリッタ素子を有するのが有利である。一般的な用語で表現すれば、そのようなビームスプリッタ素子は、水平方向及び垂直方向に偏光された光に対して異なる屈折率を有する２つのプリズムを有する。これは、一方の偏光方向における光が透過され、他方の偏光方向における光が屈折されることを意味する。このように、画像供給元１２の変調素子１３により反射された光の方向がビームスプリッタ素子により影響を受けず、光源４から光学素子５を介して偏光するビームスプリッタ素子上に誘導された光がＯＡＳＬＭ２に向けて反射されることが達成される。例えば、１つのプリズムは水平方向の偏光方向に対してより高い屈折率を有することができ、それにより、この光束は内部全反射され、ビームスプリッタ素子から垂直方向に偏光された光束とは異なる経路上に放射される。更に、書き込み用の波長及び読み出し用の波長は異なってもよい。図２から分かるように、読み出し光束の経路は、正確にはマイクロレンズ３２の下流側の領域内において、書き込み光束の経路に部分的に重ね合わされる。
【００４８】
ホログラムを透過的に読み出す別の実現例をホログラムを読み出すための装置１０１を具備する装置２０１により図３に示し、ＯＡＳＬＭ２へのホログラムの書き込みを同時に表す。この場合、図１又は図２から既知の部分は、図３において同一の図中符号を有する。最初に、ホログラムの書き込みを簡潔に説明する。この場合、照明デバイス９は、発光ダイオードとして実現されるのが有利である１つの光源１０のみを具備する。この場合も、前記光源１０は、光を拡大又はコリメートする光学素子１１を再度割り当てられる。必要に応じて、この光が画像供給源１２の特定の変調素子１３のみに入射するために、動作される変調素子１３に応じて切替えられるシャッタ１７は、光の方向において光学素子１１の下流側に配置される。換言すると、光が全ての変調素子１３に入射することを意図しない場合、シャッタ１７は、シャッタの開口部の一部のみが光を透過するように制御及び切替えられ、その結果、光は変調素子１３及びマイクロレンズ１６の一部のみに入射する。ＯＡＳＬＭ２に記録又は書き込まれるホログラムが定義される方法に応じて、シャッタ１７は、光が変調素子１３の一部のみ又は全てに向けられるように制御され、その後、対応するホログラム情報は前記光によりＯＡＳＬＭ２に直接書き込まれる。光を画像供給元１２上に向けるための図２に従うビームスプリッタ素子の配列１５の代わりに、１つのビームスプリッタ素子１９のみを図３に示す。この場合、複数のビームスプリッタ素子の配列１５も使用可能であることは言うまでもない。本例において、ＯＡＳＬＭ２へのホログラムの直接記録の原理は、図２に対して上述した方法で実行される。
【００４９】
この場合も、ＯＡＳＬＭ２からのホログラムの読み出しは透過的に実行される。図２に従う複数のビームスプリッタ素子１８の代わりに、光学系１０６は、マイクロレンズ１６の配列を具備する。この場合、マイクロレンズ１６は、図２に従うマイクロレンズ３２に従って実現可能である。照明デバイス３は書き込み光束の経路内に配置され、光の方向においてマイクロレンズ１６の上流側に配置される光源の配列２０を具備する。この場合、光源２０は有機発光ダイオード（ＯＬＥＤ）として実現されるが、当然、他の光源も可能である。有機発光ダイオードの配列２０をＯＡＳＬＭ２の平面内に直接配置しても、そのような光源の空間的インコヒーレンスにより、必要な効果は得られない。図３に示すように、有機発光ダイオードの配列２０がマイクロレンズ１６のオブジェクト側の焦平面内に配置されることは特に有利である。このように、ＯＡＳＬＭ２は、十分にコリメートされた光を用いて照明可能であり、ホログラムは完全に読み出し可能である。ホログラムを読み出すため、十分にコヒーレントな読み出し光がサブホログラムの領域内又はＯＡＳＬＭ２の部分上に十分に入射するように、それに対応する高いコヒーレンス度を有する有機発光ダイオードを選択する必要がある。異なる波長の光は、ホログラムを書き込むため及び読み出すために使用される。
【００５０】
有機発光ダイオードの配列２０は、ホログラムがＯＡＳＬＭ２に記録される時点で装置２０１の光束経路内に既に配置されているため、ホログラムの記録中に、画像供給元１２の変調素子１３により反射された光がぼやけず又は悪影響を受けず、その結果ホログラムの最適な記録が保証されるように、有機発光ダイオード２０が少なくとも部分的に透過型として実現されるか又は光源の基板が少なくとも部分的に透明であるように注意する必要がある。有機発光ダイオード２０は自発光体であり、所要電力が低いことを特徴とする。更に、それらは非常に平坦であり、そのため、装置２０１又は装置１０１のサイズは必要以上に拡大されない。更に反応時間又は応答時間がミリ秒範囲と非常に短いため、それらはＯＡＳＬＭ２を照明するための最適な光源として機能する。少なくとも部分的に透過型として実現されるならば、有機発光ダイオードと共に他の光源も使用可能であることは言うまでもない。
【００５１】
記録又は書き込みのために定義されるＯＡＳＬＭ２の領域からホログラムを読み出すために、照明デバイス３の有機発光ダイオード２０は、読み出し光が個々のマイクロレンズ１６、１６ａ、１６ｂ、１６ｃ等に入射するようにオンに切替えられる。この場合、図３から分かるように、光学系１０６の個々のマイクロレンズ１６は、入射光を光学媒体であるＯＡＳＬＭ２に入射するコリメートされた光に変換する。従って、この場合も、読み出し光束の経路は、書き込み光束の経路に部分的に重ね合わされる。異なる波長の光が書き込み及び読み出しに使用されるため、読み出しは、ホログラムの記録又は書き込みに影響を及ぼさない。そのため、ホログラムの書き込み中、マイクロレンズ１６は、マイクロレンズ１６の視野により定義されるＯＡＳＬＭ２の領域上に入射光を集束する。このように、光学系１０６のマイクロレンズ１６は、光学媒体であるＯＡＳＬＭ２に対するホログラムの記録及び書き込みに対して同時に提供される。この場合も、ホログラムの再構成は、フーリエレンズとして実現される視野レンズ８により実行される。
【００５２】
上述の実現例と共に、ＯＡＳＬＭ２からのホログラムの読み出しは、図４に示す装置１０２により実行されてもよい。この場合、装置２０２全体の基本構成は、図３に示す基本構成に対応する。しかし、図３に従う単純に実現されたマイクロレンズ１６の代わりに、図４において、光学系２０６は、偏光依存型又は偏光感応型マイクロレンズ２１として実現されるマイクロレンズを具備する。この場合、一般的に見て、第１の偏光成分の光が第１の方向に向けられ且つ第２の偏光成分の光が第１の方向とは異なる第２の方向に向けられるように、あるいは本例において、第１の偏光成分の光がその波面に関して影響を受け且つ第２の偏光成分の光がその波面に関して影響を受けないように、個々の偏光依存型マイクロレンズ２１は複屈折を有する。この場合、異なる波長の光を放射し且つ２つの偏光方向を有する少なくとも２つの光源が使用される。これは、垂直に偏光された光がホログラムを記録するため及び読み出すために使用されることを意味する。この目的のため、個々の偏光依存型マイクロレンズ２１は、ほぼ以下のように構成される。基板（不図示）に等方性材料２１７が設けられ、等方性材料２１７上に微細構造の界面２１８が形成される。規定の複屈折光軸方向を有する複屈折材料２１９が微細構造の界面２１８上に塗布される。複屈折材料２１９を密封するため、更なる基板（不図示）が複屈折材料２１９に貼付される。そのようなマイクロレンズ２１の実施形態の変更が可能であることは言うまでもない。
【００５３】
更に、光学系２０６は、光の方向において偏光依存型マイクロレンズ２１の上流側に切替え可能な偏光子２２を有する。この偏光子は、第１の偏光成分の光を透過する第１の偏光状態と第２の偏光成分の光を透過する第２の偏光状態との間で切替え可能である。そのような偏光子２２は一般に周知であるため、更に詳細に説明しない。この場合も、光学系２０６の偏光依存型マイクロレンズ２１は、ホログラムを記録するため及び読み出すために同時に使用される。ホログラムをＯＡＳＬＭ２に記録する場合、偏光子２２は第１の偏光状態に切替えられる。それにより、微細構造の界面２１８はレンズとして機能し、画像供給元１２の変調素子１３により反射される光をＯＡＳＬＭ２上の領域内に集束する。ホログラムをＯＡＳＬＭ２から読み出す場合、偏光子２２は第２の偏光状態に切替えられる。それにより、微細構造の界面２１８は光学効果を殆ど有さず、その結果、偏光依存型マイクロレンズ２１は単純な透明平面板として機能する。その結果、読み出しのために偏光依存型マイクロレンズ２１に入射する光は、その後、その光の方向に関して影響を受けず、従って、十分にコリメートされた状態を維持する。これは、偏光依存型マイクロレンズ２１が、ホログラムを読み出すために集束光学アセンブリとして機能し且つホログラムを読み出すために平面板として機能するように、制御デバイス（不図示）により制御されることを意味する。その後、コリメートされた光は、偏光依存型マイクロレンズ２１の視野により定義される領域上又は視野により定義されるＯＡＳＬＭ２の部分上に広く入射する。この場合、図２及び図３に示すように、読み出し光束の経路は、書き込み光束の経路に部分的だけではなく完全に重ね合わされる。その後、ホログラム又はホログラム情報の再構成は視野レンズ８により実行される。
【００５４】
更に、光学媒体、本明細書中ではＯＡＳＬＭ２が、ホログラム情報を書き込まれ且つ前記情報を再度読み出し可能な個々の領域又は部分を有することが再度指摘される。この場合、ホログラム記憶装置である光学媒体は、複数の個別の媒体から構成可能である。光学媒体であるＯＡＳＬＭ２の場合、これは、ＯＡＳＬＭ２が複数の小さなＯＡＳＬＭから構成可能であり、それにより大きなＯＡＳＬＭ２を形成することを意味する。従って、図１〜図４のＯＡＳＬＭ２も、複数のＯＡＳＬＭから構成されるＯＡＳＬＭであってもよい。
【００５５】
１次光源を使用する代わりに、２次光源を使用することも可能である。これは、光学媒体２及び／又は画像供給元１２を照明するために光源の結像を利用することも可能であることを意味する。
【００５６】
しかし、図２〜図４に示す全ての実施形態において、記録及び読み出し中の光が互いに対して影響を及ぼすことにより情報が壊されるのを防止するために、異なる波長及び／又は異なる偏光状態の光がホログラムを記録するため及び読み出すために使用されるように注意する必要がある。これが前提条件であるため、読み出しに使用される光学系６、１０６、２０６が書き込み光束の経路内に配置され、それにより、ＯＡＳＬＭ２に書き込むために提供される情報が失われるか又は変更されることなく、２つの光束経路、すなわち書き込み光束の経路及び読み出し光束の経路が少なくとも部分的に重ね合わされるように、ホログラムを透過的に読み出すことが可能である。
【００５７】
図２〜図４に示す本発明に係る装置の全ての実施形態に対して、非コヒーレント光はホログラムをＯＡＳＬＭ２に直接記録するために使用され、コヒーレント又は十分にコヒーレントな光はホログラムを読み出すために使用される。双方の例において、ホログラムの記録及び読み出しは、リアルタイムに実行されるという利点を有する。当然、画像供給元１２の変調素子１３の照明は、ビームスプリッタ素子１９又は複数のビームスプリッタ素子１５を使用せずに実行可能であり、この場合、光源の配列、照明デバイス９の光源１０、あるいは照明デバイス９自体は、それに応じて、例えば画像供給元１２に対してある一定の角度を成して実行される必要がある。
【００５８】
ホログラムをＯＡＳＬＭ２からカラーで読み出す必要がある場合、例えば、装置１、１００、１０１及び１０２内の単色光源４、２０の代わりに、原色である赤色、緑色及び青色に対応する３つの光源を設けることが可能である。複数の単色光源４が装置１、１００、１０１及び１０２内に設けられる場合、これらを対応して複数の原色光源に置き換える必要がある。従って、ホログラムのカラーでの読み出しは、同時又は順次に実行可能である。
【００５９】
しかし、図１〜図４は好適な実施形態を表しているだけであり、装置の更なる実施形態が可能であり、実施形態を互いに組み合わせることも考えられることは言うまでもない。その結果、本発明の範囲を逸脱せずに、図示される実施形態の変更が可能である。
【００６０】
ホログラムのリアルタイムの読み出し（及び記録）の結果、装置１、１００、１０１及び１０２（並びに、装置２００、２０１及び２０２）は、３次元である利点を有するシーンを再構成するためにホログラム再生デバイスにおいて特に有利に使用可能である。例えば図２〜図４に従って、ホログラムが高解像度でＯＡＳＬＭ２に書き込まれる場合、高品質の再構成を生成することが可能である。更に、この場合、これらの再構成は、大きな観察者ウィンドウにより３次元で観察可能であるという利点を有する。従って、観察者は再構成を両目で観察できる。
【産業上の利用可能性】
【００６１】
装置１、１００、１０１、１０２（並びに、装置２００、２０１、２０２）の可能な使用分野は、例えば、コンピュータ、テレビ、電子ゲーム、情報又は娯楽を表示するための自動車工業、医療技術、特に、侵襲性を最小限とする手術又は断層撮影法により取得されるデータの空間表現等の民間部門、あるいは地形プロファイル等を表現するための軍事技術に対する２次元及び／又は３次元表現用ディスプレイである。本装置１、１００、１０１、１０２（並びに、装置２００、２０１、２０２）が上述以外の分野でも使用可能であることは言うまでもない。
【図１】
2009258664.tif 000003
【図２】
2009258664.tif 000004
【図３】
2009258664.tif 000005
【図４】
2009258664.tif 000006
【外国語明細書】
2009258664.tif 000007
2009258664.tif 000008
2009258664.tif 000009
2009258664.tif 000010
2009258664.tif 000011
2009258664.tif 000012
2009258664.tif 000013
2009258664.tif 000014
2009258664.tif 000015
2009258664.tif 000016
2009258664.tif 000017
2009258664.tif 000018
2009258664.tif 000019
2009258664.tif 000020
2009258664.tif 000021
2009258664.tif 000022
2009258664.tif 000023
2009258664.tif 000024
2009258664.tif 000025
2009258664.tif 000026
2009258664.tif 000027
2009258664.tif 000028
2009258664.tif 000029
2009258664.tif 000030
2009258664.tif 000031
2009258664.tif 000032
2009258664.tif 000033
2009258664.tif 000034
2009258664.tif 000035
2009258664.tif 000036